(57)【要約】【課題】  用紙搬送性を良好にし、両面印刷の品質を向上させる。【解決手段】  ロール紙を用いて両面印刷を行なうインクジェット記録装置において、表面画像を印刷した後端に補助余白を付加した状態でロール紙を切断し、切断した記録用紙の表裏を反転して裏面を再給紙するときには補助余白を先頭に用紙搬送する。【選択図】  図６
2007144960.tif 000002
【特許請求の範囲】
【請求項１】
表面画像後端に付加する補助余白の長さを決定する手段と、表面印刷後に補助余白を付加した長さで記録媒体を切断する手段と、前記切断した記録媒体を表裏反転させて印刷部に再給紙する手段と、前記再給紙した記録媒体に付加されている補助余白を切断する手段と、を有することを特徴とするインクジェット記録装置。
【請求項２】
前記表面画像後端に付加する補助余白の長さを決定する手段は、記録媒体の種類に応じて決定することを特徴とする請求項１に記載のインクジェット記録装置。
【請求項３】
前記表面画像後端に付加する補助余白の長さを決定する手段は、記録媒体に印刷した画像濃度に応じて決定することを特徴とする請求項１に記載のインクジェット記録装置。
【請求項４】
前記表面画像後端に付加する補助余白の長さを決定する手段は、記録媒体の表面後端部に印刷した画像濃度に応じて決定することを特徴とする請求項１に記載のインクジェット記録装置。
【請求項５】
前記再給紙した記録媒体に付加されている補助余白を切断する手段は、裏面印刷前に行なうことを特徴とする請求項１に記載のインクジェット記録装置。
【請求項６】
前記再給紙した記録媒体に付加されている補助余白を切断する手段は、裏面印刷後に行なうことを特徴とする請求項１に記載のインクジェット記録装置。
【請求項７】
前記再給紙した記録媒体に付加されている補助余白を切断する手段により分離された補助余白を裏面印刷前に排出することを特徴とする請求項１に記載のインクジェット記録装置。
【発明の詳細な説明】
【技術分野】
【０００１】
本発明は、インクジェット記録ヘッドと記録媒体とを相対的に移動させて記録を行うインクジェット記録装置及びその制御方法と装置に関するもので、特にロール紙を用いた両面印刷の制御方法に関するものである。
【背景技術】
【０００２】
一般にインクジェット記録装置は、記録ヘッドから被記録媒体にインクを吐出して記録を行うものであり、記録ヘッドのコンパクト化が容易であり、高精細な画像を高速で記録することができ、ランニングコストが安く、ノンインパクト方式であるため騒音が少なく、しかも、多色のインクを使用してカラー画像を記録するのが容易であるなどの利点を有している。
【０００３】
従来のロール紙を用いた両面記録装置には、ロール紙の表面に印刷をした後にロール紙をカットして一旦巻き取り、これを裏面の印刷ができるように印刷部に給紙することで両面印刷を自動で行なう構成が提案されている（例えば、特許文献１参照。）。
【特許文献１】特開平１１−２４９３４６号広報（図１）
【発明の開示】
【発明が解決しようとする課題】
【０００４】
前記ロール紙を用いた両面記録装置では、表面印刷後に表面画像後端でロール紙をカットして、この用紙端部を先頭に裏面の再給紙を行なっているが、カットする位置を特定していない。
【０００５】
しかしながら、電子写真方式などとは異なりインクジェット記録方式では、記録ヘッドからインク滴を吐出し、これを記録媒体に浸透させることで画像形成を行なっているため、高濃度な画像を印刷したときに、より多くのインク滴を吸収することで記録媒体にコックリングと呼ばれる現象が生じる。これは紙等の繊維間にインクが入り込むことにより、その部分が膨張して歪みが生じて記録媒体が波打つ現象である。このコックリングによる記録媒体が波打つ程度は、記録媒体の種類によって差異がある。また、記録媒体が多量のインクを吸収して記録媒体が湿った状態では、記録媒体本来のコシが低下している。以上のようにインクジェット記録方式では、高濃度な画像を印刷したときに、コックリングやコシの低下などの要因により記録媒体の搬送性が損なわれることがあり、この現象が前記裏面の再給紙を行なう用紙端部近傍で発生していると、搬送不良が起こり易くなるとともに装置の損傷に繋がる恐れがある。
【課題を解決するための手段】
【０００６】
上記目的を達成するために本発明に係るインクジェット記録装置は、表面画像後端に付加する補助余白の長さを決定する手段と、表面印刷後に補助余白を付加した長さで記録媒体を切断する手段と、前記切断した記録媒体を表裏反転させて印刷部に再給紙する手段と、前記再給紙した記録媒体に付加されている補助余白を切断する手段と、を有することを特徴としている。
【発明の効果】
【０００７】
以上詳述したように本発明によれば、記録ヘッドを用いて画像形成を行うインクジェット記録装置であって、表面画像後端に付加する補助余白の長さを決定し、表面印刷後に補助余白を付加した長さで記録媒体を切断し、前記切断した記録媒体を表裏反転させて印刷部に再給紙し、前記再給紙した記録媒体に付加されている補助余白を切断することで、安定した用紙搬送性及び給紙性が得られ、引いては両面印刷における表面と裏面の位置ずれを抑制することのできるインクジェット記録装置を提供することができる。
【発明を実施するための最良の形態】
【０００８】
以下、添付図面を参照して本発明の好適な実施の形態を詳細に説明する。
【０００９】
（第1の実施の形態）
図１は、本実施の形態に係るインクジェットプリントシステムの概略構成を示すブロック図である。
【００１０】
図１において、１００は本実施の形態に係るインクジェットプリンタで、インクジェット法により画像を記録するプリンタエンジン１２０を備えている。このプリンタエンジン１２０は、カラー記録用のプリンタで、ＹＭＣＫの各色に対応したインクを吐出する複数の記録ヘッド（インクジェットヘッド）を備え、これら複数の記録ヘッドを往復走査させて記録シート上に画像を記録する。このインクジェットプリンタ１００の構成は、図３，図４を参照して詳しく後述する。
【００１１】
２００はホストコンピュータで、各種アプリケーションプログラム２２０、及び、インクジェットプリンタ１００用のプリンタドライバ２２１等を不図示のハードディスクに記憶している。本実施の形態に係るインクジェット記録制御方法は、インクジェットプリンタ１００により実行されても、或いはプリンタドライバ２２１により実行されても良い。このプリンタドライバ２２１は、ＣＤ−ＲＯＭ等の記憶媒体によりプリンタ１００のメーカから提供され、ホストコンピュータ２００のハードディスクにインストールされている。そして、実行時にホストコンピュータ２００のＲＡＭ２２３にロードされ、ＣＰＵ２２２の制御の下に実行される。
【００１２】
プリンタ２００は、このプリンタドライバ２２１から送られてくる記録データを受信し、指示された記録方法、例えばマルチパスにより画像を記録する。尚、このインクジェットプリンタ１００は、各走査において記録するドット位置を決定するためのマスク情報を備えており、このマスク情報に従って、各パスで記録するドット位置（ノズル）を決定している。但し、このマスク情報をホストコンピュータ２００に設け、プリンタ１００は単に受信した記録データに基づいて記録するように構成されていてもよい。
【００１３】
図２は、本実施の形態に係るプリンタドライバ２２１における画像処理を説明するための構成を示すブロック図である。
【００１４】
図２において、３０１は入力補正部で、例えばアプリケーションプログラム２２０などから入力されるＲＧＢ各８ビットで表される画像データを入力し、記録で使用するＣ（シアン）Ｍ（マゼンタ）Ｙ（イエロー）それぞれ８ビットデータに変換する。３０２は色調補正部で、入力補正部３０１で補正されたＣＭＹデータに基づいてＣＭＹＫ（黒）データを生成して出力する。３０３は本実施の形態の特徴部である出力補正部で、インクジェットプリンタ１００で記録する際、各パスで記録される画像データの値を決定している。この場合、補正用テーブル１１３の補正データに基づいて、各パスで記録するデータを補正しても良い。３０４は量子化部で、出力補正部３０３から出力されるＣＭＹＫ各８ビットの画像データを、例えば誤差拡散法などを用いて量子化し、その量子化結果であるＣＭＹＫ各１ビットデータ（記録データ）を出力している。
【００１５】
図３は、本発明の実施の形態に係るインクジェットプリンタ１００の基本構成を示すブロック図である。尚、このインクジェットプリンタ１００の説明では、インクジェットプリンタ１００自体が前述の図２に示すような画像処理機能を備えている場合で説明するが、ホスト側のプリンタドライバ２２１がこの機能を備えている場合には、この機能を省略した、より簡易な構成となることは言うまでもない。
【００１６】
図３において、１０１は本実施の形態のインクジェットプリンタ全体の動作を制御する制御部である。１０２はヘッドドライバで、制御部１０１よりの記録データに基づいてインクジェットヘッド１０５を駆動して記録を行っている。１０３，１０４はモータドライバで、それぞれ対応するキャリッジモータ１０６，シート送り用モータ１０７を回転駆動する。１０８は入力部で、例えばホストコンピュータ２００などの外部機器より画像データを入力して制御部１０１に供給している。
【００１７】
次に制御部１０１の構成について説明する。
【００１８】
１１０は例えばマイクロプロセッサ等のＣＰＵ、１１１はＣＰＵ１１０により実行されるプログラム等を記憶しているプログラムメモリ、１１５はＲＡＭで、ＣＰＵ１１０の動作時に各種データを記録するワークエリアを有するとともに、記録データを格納するプリントバッファ１１６も備えている。１１２はプリントバッファコントローラ（ＰＢＣ）で、プリントバッファ１１６からプリントすべき記録データの取り出しを行うように制御する。１１３は前述した補正用テーブル（図２）、１１４はマスクデータで、インクジェットヘッド１０５の各走査時において記録すべき記録データを決定するために使用される。
【００１９】
図４は、本発明の実施の形態のインクジェットプリンタ１００の記録部の構成を説明するための図である。
【００２０】
図４において、２０５はヘッドカートリッジで、インクジェットヘッド（図３の１０５）とインク供給源であるインクタンクとを一体化したものである。このヘッドカートリッジ２０５は、押さえ部材２０２によりキャリッジ２０６上に固定されており、このキャリッジ２０６はシャフト２１１に沿って摺動可能に取付けられている。キャリッジモータ１０６の回転軸に取付けられたプーリ１０９にはベルト２０３が他のプーリ１０９ａとの間で捲回されており、このベルト２０３の一部がキャリッジ２０６に固定されている。これによりキャリッジモータ１０６を回転させることにより、キャリッジ２０６がシャフト２１１に沿って往復移動することができる。このキャリッジ２０６の走査に同期して、記録データに応じてヘッドドライバ１０２（図３）を介して、ヘッドカートリッジ２０５のインクジェットヘッド１０５を駆動してインクを吐出することにより、プラテン２１０に捲回されて記録面を形成する記録シート２０９に所望の画像を記録することができる。尚、このプラテン２１０は、シート送り用モータ１０７の回転により回転駆動される。
【００２１】
２０７はケーブルで、このケーブル２０７と、これに結合された端子を介して制御部１０１より記録すべき記録データがヘッドカートリッジ２０５に供給される。ヘッドカートリッジ２０５は、用いるインクの色等に応じて、１ないし複数個のインクジェットヘッドを設けることができる。また、２０４はキャリッジ２０６がホーム位置にいることを検出するＨＰ（ホームポジション）センサである。
【００２２】
（ここまでは、シリアル方式インクジェットプリンタ共通の説明。これ以降が本発明固有の説明。）
図５は、インクジェットプリンタ１００において両面印刷処理の際に記録用紙を搬送する様子を示した図である。
【００２３】
図５を参照すると、ロール紙５ｋは給紙経路を通って記録ヘッド５ｃのある印刷部へと給紙される。印刷部では紙送りローラ対５ｄ（ＬＦローラとも呼ぶ）によって記録ヘッド５ｃ直下を搬送方向の上流側から下流側へと所定の搬送速度で搬送される。印刷部の下流側には排紙ローラ対５ｈ、５ｇが配置されており、印刷部で印刷が行なわれながら順次搬送されていくロール紙５ｋを、紙送りローラ対５ｄと同期を取りながら下流側に搬送する。このときロール紙５ｋが通過する用紙搬送経路５ａを第１搬送路と呼ぶ。記録ヘッド５ｃ直下の用紙搬送位置Ｐ３は、印字位置でありロール紙がこの位置で一時停止する毎に、記録ヘッド５ｃが用紙幅方向（主走査方向とも呼ぶ）に移動しながらインク吐出することで画像形成が行なわれる。
【００２４】
図９を参照すると、前記図５で開始されたロール紙５ｋへの表面印刷が終了し、表面画像の後端が用紙搬送位置Ｐ１に到達するまで搬送されている。この用紙搬送位置Ｐ１は、固定された位置ではなく、ロール紙５ｋを切断するために設けられている記録紙カッター５ｉが用紙搬送路を用紙幅方向に移動する位置である用紙搬送位置Ｐ２から、距離Ｌ１分下流に設定される。距離Ｌ１は、表面印刷後に表面画像の後端に付加される補助余白の長さであり、この長さは印刷しているロール紙の用紙種別及び印刷している画像の後端部の印字濃度に応じて変化する。但し、記録紙カッター５ｉとその直ぐ下流側に配置されている排紙ローラ対５ｇとの距離Ｌ２より前記補助余白長Ｌ１が短くすると、後述する補助余白片５ｑの排紙に支障をきたすので、距離Ｌ１が距離Ｌ２以下にならないように調整される。これにより、記録紙カッター５ｉが設けられている用紙搬送位置Ｐ２には、前記表面画像の後端に付加された補助余白の後端が位置していることになる。
【００２５】
図１０を参照すると、前記図９でロール紙５ｋは補助余白の後端が用紙搬送位置Ｐ２に位置出しされているので、この位置でロール紙５ｋを記録紙カッター５ｉで切断する。このとき、切断動作に先立って排紙ローラ対５ｇによりロール紙５ｋの記録紙カッター５ｉ下流側部分を保持しておく。こうすることで、切断時にロール紙が動いて切断位置がずれることを防止するとともに、切断後にロール紙から分離された側が排紙口に落下するのを防止する。切断が完了したら、ロール紙５ｋを巻き戻して、ロール紙の切断された用紙先端が用紙搬送位置Ｐ５より上流側に来るようにする。用紙搬送位置Ｐ５は、ロール紙５ｋが給紙口から印刷部に給紙される経路と、反転されたカット済み記録紙５ｐが後述する用紙搬送路５ｂを経由して印刷部に再給紙される経路が交わる位置である。よって、ロール紙５ｋを用紙搬送位置Ｐ５より上流側にまき戻しておくことで、用紙搬送経路５ｂを経由する再給紙の妨げにならなくなる。この際、ロール紙５ｋは完全に巻き取らずに用紙搬送位置Ｐ５近傍に留めておくと、次回の印刷時に速やかに給紙開始することができる。
【００２６】
図１１を参照すると、前記図１０でロール紙５ｋが巻き戻されたことで、ロール紙５ｋから分離された表面印刷済みの記録用紙５ｐが用紙搬送路５ａの下流側に残されている。これを排紙ローラ対５ｇを排紙時とは逆方向に回転させて記録用紙５ｐを第２搬送路（搬送路５ｂ）に送り込む。このとき、前記図９で表面画像の後端に付加した補助余白の後端側を先頭に用紙搬送されることになる。フラッパ５ｊは、第１搬送路（搬送路５ａ）の下流側から上流側に搬送される記録用紙が、常に第２搬送路５ｂに送り込まれるように、バネで保持されているので、これに導かれて記録紙５ｐは第２搬送路５ｂに搬送される。尚、図９のように用紙搬送路５ａを上流側から下流側に記録用紙が搬送されるときには、記録用紙がフラッパ５ｊの先端を押し下げることでフラッパ５ｊが通常塞いでいる経路が開放されるようになっている。第２搬送路５ｂに搬送された記録紙５ｐは、第２搬送路５ｂの途中に配置された搬送ローラ対５ｅ及び５ｆによって印刷部の上流側に搬送されて、再度給紙される。このように第２搬送路５ｂを経由することで記録用紙５ｐは表裏が反転され、印刷部上流側の用紙搬送位置Ｐ４に達するときには、図５、図９で印刷された表面が下側になり、これから裏面画像を印刷する面が記録ヘッド５ｃと対向する上側となっている。以上のように記録用紙５ｐが第２搬送路５ｂを経由して再給紙されるときには、インク吐出がされていない補助余白部分が先頭になり、この記録用紙先端にはコックリングによる紙しわもコシの低下も発生していないので、良好な用紙搬送及び給紙が行なえる。
【００２７】
図１２を参照すると、前記図１１により記録用紙５ｐが表裏反転されて再給紙されると、記録用紙５ｐの用紙先端が用紙搬送位置Ｐ１にくるように搬送する。これにより、補助余白後端が記録紙カッター５ｉが設置されている用紙搬送位置Ｐ２に位置出しされていることになる。用紙搬送位置Ｐ２より下流側にある補助余白部分を排紙ローラ対５ｇで保持して、記録紙カッター５ｉで記録用紙５ｐを切断する。
【００２８】
図１３を参照すると、前記図１２により分断された記録用紙５ｐの用紙先端が用紙搬送位置Ｐ３にくるように、排紙ローラ対５ｈ及び紙送りローラ対５ｄ、搬送ローラ対５ｅ、５ｆの駆動により上流方向に搬送する。このとき、排紙ローラ対５ｇは駆動させないので、記録用紙５ｐから分断させた補助余白片５ｑは、記録紙カッター５ｉにより切断されたときのまま用紙搬送路５ａの下流部分に残される。
【００２９】
図１４を参照すると、前記図１３により用紙搬送路５ａの下流部分に残された補助余白片５ｑを、排紙ローラ５ｇの駆動により下流方向に搬送してインクジェット記録装置の外部に排出する。
【００３０】
図１５を参照すると、前記図１３により用紙搬送位置Ｐ３に位置出しされた記録用紙５ｐは、再び印刷部の記録ヘッド５ｃ直下を下流方向に搬送されながら裏面画像の印刷が行なわれる。裏面の印刷が完了すると排紙ローラ対５ｈ及び５ｇの駆動により下流方向に搬送してインクジェット記録装置の外部に排出され、両面印刷処理が完了する。
【００３１】
図６は、インクジェットプリンタ１００において両面印刷処理の際に記録用紙を搬送する様子を示した図である。
【００３２】
図６（ａ）を参照すると、ロール紙５ｋに表面画像が印刷されたときの様子を示している。ロール紙５ｋの用紙先端から表面画像が印刷され、その後端に続けて“補助余白”と呼ぶ余白領域が設けられている。ロール紙５ｋを記録紙カッター５ｉで切断して、ロール紙５ｋから表面印刷された記録用紙５ｐを分断する際には、この補助余白後端位置で行なう。補助余白の長さＬ１は、前記図５、９〜１５の説明でも示したように、印刷しているロール紙の用紙種別及び印刷している画像の後端部の印字濃度に応じて変化する。画像後端部の印字濃度は、表面画像の後端から画像後端領域長Ｌ５で示される矩形領域（画像後端領域と呼ぶ）に吐出された印刷画素の面積比率である。この補助余白には、一切インク吐出は行なわないため、コックリングによる紙しわやインク吸収によるコシの低下は発生していない。
【００３３】
図６（ｂ）を参照すると、表面画像が印刷された記録用紙５ｐが表裏反転されて、印刷部に再び給紙されたときの様子を示している。前記図６（ａ）で表面画像の後端に付加した補助余白を先頭にして搬送される。前記説明したとおり、補助余白部分には表面画像の印刷による用紙搬送性の低下は起こらないので、補助余白を先頭に記録用紙５ｐを搬送することで良好な搬送及び給紙が実現できる。これにより、記録用紙５ｐの斜行が抑制されるとともに、記録用紙送り方向の位置出し（頭出しとも呼ぶ）が精度良く行なえることから、表面と裏面の画像位置合わせを容易に実現することができる。補助余白は、裏面画像の印刷に先立って記録紙カッター５ｉにより補助余白後端位置で切断して、記録用紙５ｐから分断される。
【００３４】
図７は、インクジェットプリンタ１００において両面印刷処理の際に表面画像後端に付加する補助余白の長さを導出するための表を例示するものである。
【００３５】
図７を参照すると、縦軸に用紙種別、横軸に表面画像の画像後端領域の印字濃度となっており、用紙種別と印字濃度との組合せに応じて、補助余白長Ｌ１が取得できるように構成されている。例えば、用紙種別が普通紙のロール紙に、画像後端領域の印字濃度が５０％になる画像を印刷した場合には、補助余白長は８０ｍｍとなる。設定されるそれぞれの補助余白長Ｌ１は、予め行なった実験結果に基づいて決定されるが、インクジェットプリンタ１００で使用されるロール紙やインクの特性、或いは画像形成プロセスなど多様な要因により変動されるため、個別に最適化が必要になる。一般に、普通紙に比べてインク吸収性が良好で且つ紙のコシが強いコート紙や光沢紙の方が、同じ印字濃度でもコックリングが発生しにくく、紙のコシも一定以上に保たれる傾向がある。また、用紙種別が同じ場合には、印字濃度が低濃度なときに比べて、中高濃度の方がコックリングが発生しやすく、紙のコシが著しく低下する傾向がある。
【００３６】
次に図８のフローチャートを参照して、本発明の形態の印刷処理を詳細に説明する。図８は、インクジェットプリンタ１００における両面印刷処理である。図８のインクジェットプリンタ１００における両面印刷処理は、ホストコンピュータ側からの印刷要求が発生し、印刷要求が両面印刷であると判断されたときに表面ページ毎に起動される。
【００３７】
図８を参照すると、まずロール紙５ｋが給紙口から記録ヘッド５ｃが配置された印刷部に給紙される（Ｓ１０１）。続いて、表面画像をロール紙５ｋの先端から順次印刷していき表面の印刷を完了させる（Ｓ１０２）。
【００３８】
次に、現在印刷中のロール紙５ｋの用紙種別を取得する（Ｓ１０３）。ここでいう用紙種別とは、普通紙、コート紙、光沢紙などといったものである。インクジェットプリンタ１００にセットされているロール紙５ｋの用紙種別が、ホストから印刷要求とともに送られてくるので、印刷要求に付随する情報が保持されているメモリから、これを取り出すことで取得できる。続いて、前記コール紙５ｋに印刷した表面画像の画像後端領域の印字濃度を取得する（Ｓ１０４）。表面画像の印刷時に記録ヘッド５ｃが画像後端領域にインク吐出した回数をカウントしておき、これを画像後端領域の面積を印刷解像度に合わせて換算した値で除して導出する。例えば、ロール紙５ｋの用紙幅を２１０ｍｍ、画像後端領域長を３０ｍｍ、印刷解像度を縦１２００ｄｐｉ×横１２００ｄｐｉ、画像後端領域にインク吐出した回数を１００，０００回、とした場合、１００，０００÷（２１０÷２５．４×１２００）×（３０÷２５．４×１２００）×１００＝約３４％、となる。前記取得した用紙種別と画像後端領域の印字濃度とを使用して図７に示される補助余白長導出表から補助余白長Ｌ１を導出する（Ｓ１０５）。例えば、ロール紙５ｋの用紙種別が普通紙、表面印字の画像後端領域の印字濃度が３４％、とした場合、補助余白長導出表から適正な補助余白長Ｌ１は６０ｍｍと導出される。次に前記導出された補助余白長と、記録紙カッター５ｉと排紙ローラ対５ｇとの距離Ｌ２とを比較する（Ｓ１０６）。補助余白長Ｌ１が距離Ｌ２以上の場合には、前記導出された補助余白長がそのまま採用される。補助余白長Ｌ１が距離Ｌ２未満のあった場合には、補助余白長Ｌ１を距離Ｌ２の値で置き換える（Ｓ１０７）。これは、前記図５、９〜１５の説明でも触れたとおり、補助余白長Ｌ１が距離Ｌ２未満であると、後の補助余白片５ｑの排出動作に支障をきたすので、補助余白長を距離Ｌ２以上になるようにするためである。
【００３９】
次に、前記導出された補助余白長を持つ補助余白を図７に示されるように表面画像の後端に付加し、このときの補助余白後端位置が用紙搬送位置Ｐ２になるようにロール紙５ｋを搬送する（Ｓ１０８）。続いて、前記搬送されたロール紙５ｋの記録紙カッター５ｉより下流側部分を排紙ローラ５ｇを駆動するモータをホールドすることで動かないように保持する（Ｓ１０９）。続いて、ロール紙５ｋから表面画像が印刷された部分を切り離すために記録紙カッター５ｉで切断する（Ｓ１１０）。記録紙カッター５ｉは、キャリッジに設けられた刃が切断時のみ搬送路５ａ上の記録用紙に接する高さに移動し、キャリッジの往復運動により記録用紙上を走査することで切断する。以降、ロール紙５ｋから分断された表面画像が印刷された部分を記録用紙５ｐと呼ぶ。この記録用紙５ｐの後端には、補助余白長Ｌ１の補助余白が付加されている。
【００４０】
次に、前記表面画像が印刷された部分が切り離されたロール紙５ｋを巻き戻して、用紙先端が用紙搬送位置Ｐ５より上流に位置するようにする（Ｓ１１１）。このとき、ロール紙５ｋから分離された記録用紙５ｐは、そのまま用紙搬送路５ａの下流部分に残される。続いて、記録用紙５ｐを上流方向に搬送して用紙搬送路５ｂ（第２搬送路とも呼ぶ）に送り込み、印刷部上流の給紙口に再給紙する（Ｓ１１２）。第２搬送路を経由して搬送することで記録用紙５ｐの表裏が反転されて、給紙口に到達する際には、裏面が記録ヘッド５ｃと対向する上面となるように構成されている。このとき、記録用紙５ｐに付加しておいた補助余白側を先頭にして搬送及び給紙が行なわれることになる。
【００４１】
次に、前記再給紙された記録用紙５ｐの補助余白後端位置が用紙搬送位置Ｐ２にくるように搬送する（Ｓ１１３）。これにより、記録紙カッター５ｉの移動面の上流側に表面画像が印刷された部分、下流側に補助余白部分が位置するようになる。続いて、記録紙カッター５ｉの下流側にある補助余白部分を排紙ローラ対５ｇで保持する（Ｓ１１４）。続いて、記録紙カッター５ｉで記録用紙５ｐを切断して、表面画像が印刷された部分と補助余白部分とを分断する（Ｓ１１５）。続いて、前記分断された表面画像が印刷された部分の記録用紙５ｐを上流方向に搬送して、用紙先端が用紙搬送位置Ｐ３にくるようにする（Ｓ１１６）。続いて、前記分断された補助余白部分（補助余白片５ｑと呼ぶ）を排紙ローラ５ｇを駆動して下流方向に搬送し、インクジェットプリンタ１００の外部に排出する（Ｓ１１７）。
【００４２】
次に、前記用紙搬送位置Ｐ３に搬送された記録用紙５ｐに裏面画像を印刷しながら下流方向に順次搬送して裏面印刷を完了させる（Ｓ１１８）。最後に、前記裏面画像の印刷が完了した記録用紙５ｐを排紙ローラ対５ｇ及び５ｈで下流方向に搬送して、インクジェットプリンタ１００の外部に排出して（Ｓ１１９）、両面印刷を完了する。
【図面の簡単な説明】
【００４３】
【図１】本発明の１実施例におけるインクジェットプリントシステムの概略構成を示すブロック図。
【図２】本発明の１実施例におけるプリンタドライバにおける画像処理を説明するための構成を示すブロック図。
【図３】本発明の１実施例におけるインクジェットプリンタの基本構成を示すブロック図。
【図４】本発明の１実施例におけるインクジェットプリンタの記録部の構成を説明するための図。
【図５】本発明の１実施例におけるインクジェットプリンタの両面印刷処理の際に記録用紙を搬送する様子を示した図。
【図６】本発明の１実施例におけるインクジェットプリンタの両面印刷処理の際に記録用紙を搬送する様子を示した図。
【図７】本発明の１実施例におけるインクジェットプリンタの両面印刷処理の際に補助余白長を導出するための表を示した図。
【図８】本発明の１実施例におけるインクジェットプリンタの両面印刷処理のフローチャート。
【図９】本発明の１実施例におけるインクジェットプリンタの両面印刷処理の際に記録用紙を搬送する様子を示した図。
【図１０】本発明の１実施例におけるインクジェットプリンタの両面印刷処理の際に記録用紙を搬送する様子を示した図。
【図１１】本発明の１実施例におけるインクジェットプリンタの両面印刷処理の際に記録用紙を搬送する様子を示した図。
【図１２】本発明の１実施例におけるインクジェットプリンタの両面印刷処理の際に記録用紙を搬送する様子を示した図。
【図１３】本発明の１実施例におけるインクジェットプリンタの両面印刷処理の際に記録用紙を搬送する様子を示した図。
【図１４】本発明の１実施例におけるインクジェットプリンタの両面印刷処理の際に記録用紙を搬送する様子を示した図。
【図１５】本発明の１実施例におけるインクジェットプリンタの両面印刷処理の際に記録用紙を搬送する様子を示した図。
【図１】
2007144960.tif 000003
【図２】
2007144960.tif 000004
【図３】
2007144960.tif 000005
【図４】
2007144960.tif 000006
【図５】
2007144960.tif 000007
【図６】
2007144960.tif 000008
【図７】
2007144960.tif 000009
【図８】
2007144960.tif 000010
【図９】
2007144960.tif 000011
【図１０】
2007144960.tif 000012
【図１１】
2007144960.tif 000013
【図１２】
2007144960.tif 000014
【図１３】
2007144960.tif 000015
【図１４】
2007144960.tif 000016
【図１５】
2007144960.tif 000017